(57)【要約】【課題】部品点数を削減したカード用コネクタを提供する。【解決手段】コネクタ１０は、凹部１ｃを有するハウジング１と凹部１ｃを覆うカバー板２１を備える。又、コネクタ１０は、一対のロック金具５ａ・５ｂと仕切り板６を備える。ロック金具５ａ・５ｂは、凹部１ｃの中央部に向かって一部を突出した自由端部を有する。ロック金具５ａ・５ｂは、係止開口５２ｈを自由端部に有する。仕切り板６は、係止開口５２ｈと係合自在な一対の係合部６ａ・６ｂを有する。係合部と係止開口が係合した状態では、幅の狭い第１カードＣｎをカバー板２１と仕切り板６の間に移動でき、幅の広い第２カードＣｂを凹部１ｃに挿入すると、係合部と係止開口の係合状態が解除され、第２カードＣｂを仕切り板６と凹部１ｃの底面の間に移動できる。一対のロック金具５ａ・５ｂと仕切り板６が直接連動することで、部品点数を削減できる。【選択図】図６
2020187867.tif 000002
【特許請求の範囲】
【請求項１】
一方の端部に複数の第１接続端子を配列した矩形の第１カードと、前記第１カードより大きい幅と前記第１カードより小さい厚さを有し、一方の端部に複数の第２接続端子を配列した矩形の第２カードを共用できるカード用コネクタであって、
前記第１カードを幅方向に案内する第１案内路、及び、前記第２カードを幅方向に案内する第２案内路をカード挿入口に有し、前記カード挿入口を介して、前記第１カード又は前記第２カードを内部に導入できる凹部を有する板状のハウジングと、
前記ハウジングの凹部を覆うカバー板と、
第１接点を前記凹部の底面に向かって配置し、前記第１接続端子に接触できる複数の第１コンタクトと、
第２接点を前記凹部の底面から突出し、前記第２接続端子に接触できる複数の第２コンタクトと、
固定端部を前記凹部の内壁に固定し、前記凹部の中央部に向かって自由端部の一部を突出し、前記第２カードが前記第２案内路を通過している状態では、前記自由端部が前記凹部の内壁に向かって後退する一対のベローズ状のロック金具と、
前記凹部を横断した状態で前記一対のロック金具に後続配置され、前記カバー板と前記凹部の底面の間を高さ方向に仕切る仕切り板と、
前記凹部の内壁に配置され、前記仕切り板が前記カバー板に向かって移動する力を付勢する一つ以上の板ばね片と、を備え、
前記ロック金具は、係止開口を前記自由端部に有し、
前記仕切り板は、両端部から相反する向きに突出し、前記係止開口と係合自在な一対の係合部を有し、
前記係合部と前記係止開口が係合した状態では、前記第１カードを前記カバー板と前記仕切り板の間に移動でき、
前記第２カードを前記カード挿入口の第２案内路に挿入すると、前記自由端部が前記凹部の内壁に向かって後退することで、前記係合部と前記係止開口の係合状態が解除され、前記第２カードを前記仕切り板と前記凹部の底面の間に移動できる、カード用コネクタ。
【請求項２】
前記仕切り板の係合部は、前記係止開口の縁部にスライド自在な傾斜面を端部に有し、
前記第２カードを前記凹部から引き抜いた状態では、前記ロック金具の自由端部が復帰して、前記傾斜面にスライドすることで、前記仕切り板を前記凹部の底面に向かって移動させる、請求項１記載のカード用コネクタ。
【請求項３】
前記カバー板と反対側から前記ハウジングを覆うシールド板を更に備えている、請求項１又は２記載のカード用コネクタ。
【発明の詳細な説明】
【技術分野】
【０００１】
本発明は、カード用コネクタに関する。特に、外形寸法、又は厚さ、及び、接続端子の配列が異なる二種類のカードを共用できるカード用コネクタの構造に関する。
【背景技術】
【０００２】
近年では、携帯電話機、パソコン、テレビ、ビデオ、デジタルカメラなどの電子機器は、ＣＰＵ又はメモリ素子などのＩＣ部品を組込んだＩＣカードを接続するために、カード用コネクタを搭載している。
【０００３】
ＩＣカードの一種であるメモリカードは、その外形寸法、又は厚さ、及び接続端子の配列が異なる複数種類のカードが開発されている。一方、電子機器の需要者側からは、異なる複数種類のカードを共用できるカード用コネクタを電子機器に搭載することが求められている。このような電子機器の需要者の要望に応えるため、外形寸法、又は厚さ、及び、接続端子の配列が異なる複数種類のカードを共用できるカード用コネクタが開発されている（例えば、特許文献１参照）。
【先行技術文献】
【特許文献】
【０００４】
【特許文献１】特開２０１１−１４４０５号公報
【発明の概要】
【発明が解決しようとする課題】
【０００５】
図１１は、従来技術によるカード用コネクタの構成を示す斜視図であり、図１１（Ａ）は、カバーを取り付けた状態図、図１１（Ｂ）は、カバーを取り外した状態図である。図１２は、従来技術によるカード用コネクタの構成を示す縦断面図であり、図１２（Ａ）は、外形の大きいカードを内部に装着した状態図、図１２（Ｂ）は、外形の小さいカードを内部に装着した状態図である。
【０００６】
なお、本願の図１１（Ａ）と図１１（Ｂ）は、特許文献１の図１と図２に相当している。又、本願の図１２（Ａ）と図１２（Ｂ）は、特許文献１の図９と図１２に相当している。
【０００７】
図１１又は図１２を参照すると、従来技術によるカード用コネクタ（以下、コネクタと略称する）９は、矩形の板状のハウジング９１とカバー９２を備えている。カバー９２は、ハウジング９１に形成した凹部９１ｃを覆っている。凹部９１ｃには、外形の大きいカードＳと外形の小さいカードＤを導入できる。
【０００８】
図１１（Ｂ）を参照すると、ハウジング９１は、対向間隔が狭い第１の対向壁Ｗ１・Ｗ１と対向間隔が広い第２の対向壁Ｗ２・Ｗ２をカード挿入口９１ａに形成している。図１２（Ｂ）を参照して、外形の小さいカードＤは、凹部９１ｃの底面をスライドする共に、第１の対向壁Ｗ１・Ｗ１に案内されて、ハウジング９１の内部に進出できる。図１２（Ａ）を参照して、外形の大きいカードＳは、凹部９１ｃの底面より高い段差をスライドする共に、第２の対向壁Ｗ２・Ｗ２に案内されて、ハウジング９１の内部に進出できる。
【０００９】
図１１又は図１２を参照すると、コネクタ９は、複数の第１コンタクト９３と複数の第２コンタクト９４を備えている。第１コンタクト９３は、凹部９１ｃの底面に配置されている。第１コンタクト９３は、その接点が凹部９１ｃの底面から突出した状態で配置されている。外形の小さいカードＤをハウジング９１の内部に挿入すると、外形の小さいカードＤの端部に形成した接続端子を第１コンタクト９３に接触できる（図１２（Ｂ）参照）。
【００１０】
図１１（Ｂ）又は図１２（Ａ）を参照すると、第２コンタクト９４は、ハウジング９１の奥壁に配置されている。第２コンタクト９４は、その接点が凹部９１ｃの底面に対向した状態で配置されている。外形の大きいカードＳをハウジング９１の内部に挿入すると、外形の大きいカードＳの端部に形成した接続端子を第２コンタクト９４に接触できる（図１２（Ａ）参照）。
【００１１】
図１１（Ｂ）を参照すると、コネクタ９は、一対のロック金具９５・９５、シャッター９６、及び、仕切り板９７を更に備えている。一対のロック金具９５・９５は、ハウジング９１の内部で対向配置されている。ロック金具９５は、その基端部がハウジング９１に固定され、カード挿入口９１ａに向かうと共に、ハウジング９１の奥側に向かって反転している。ロック金具９５は、その一部が第２の対向壁Ｗ２から突出している。
【００１２】
図１１（Ｂ）又は図１２を参照すると、シャッター９６は、図示しない板状部材と帯板状のブロック９６ｂで構成している。図示しない板状部材は、その基端部が凹部９１ｃの底面と回動自在に連結している。図示しない板状部材は、ブロック９６ｂを先端部に固定している。ブロック９６ｂは、ハウジング９１を横断した状態で配置されている。
【００１３】
図１２（Ｂ）を参照すると、シャッター９６は、その板状部材が図示しない捩じりコイルばねに付勢されて起立している。又、図１１（Ｂ）を参照すると、ブロック９６ｂの両端部は、ロック金具９５の先端部側の自由端部に設けた開口９５ｈに係合している。これにより、シャッター９６は、起立状態を維持している。
【００１４】
図１１（Ｂ）又は図１２（Ｂ）を参照すると、仕切り板９７は、凹部９１ｃの底面に配置した板ばね（図示せず）に付勢されて、凹部９１ｃの中間部に保持されている。後述するように、図１２（Ｂ）に示した状態から、シャッター９６が反時計方向に回動することで、ブロック９６ｂが仕切り板９７を押圧し、仕切り板９７を凹部９１ｃの底面に向かって移動できる。
【００１５】
図１１（Ｂ）又は図１２（Ｂ）を参照して、シャッター９６の図示しない板状部材は、中央部を開口している。外形の小さいカードＤをカード挿入口９１ａに挿入すると、一対の第１の対向壁Ｗ１・Ｗ１に案内されて、外形の小さいカードＤをハウジング９１の内部に進出できる。この場合、シャッター９６の板状部材は、中央部を開口しているので、外形の小さいカードＤは、シャッター９６を通過できる。外形の小さいカードＤをハウジング９１の内部に更に進出すると、仕切り板９７と凹部９１ｃの底面で外形の小さいカードＤを挟持できる（図１２（Ｂ）参照）。
【００１６】
一方、図１１（Ｂ）又は図１２（Ａ）を参照して、外形の大きいカードＳをカード挿入口９１ａに挿入すると、一対の第２の対向壁Ｗ２・Ｗ２に案内されて、外形の大きいカードＳをハウジング９１の内部に進出できる。この場合、ロック金具９５の一部が第２の対向壁Ｗ２から突出しているので（図１１（Ｂ）参照）、外形の大きいカードＳの両側面が一対のロック金具９５・９５の自由端部を押し拡げることで、ブロック９６ｂの端部とロック金具９５の開口９５ｈとの係合を解除できる。
【００１７】
図１１（Ｂ）又は図１２（Ａ）を参照して、外形の大きいカードＳをハウジング９１の内部に更に進出すると、外形の大きいカードＳの先端縁がブロック９６ｂに当接する。この場合、ブロック９６ｂの端部とロック金具９５の開口９５ｈとの係合は解除されているので、外形の大きいカードＳをハウジング９１の内部に更に進出すると、シャッター９６を起立した状態から反時計方向に回動できる。
【００１８】
図１１（Ｂ）又は図１２（Ａ）を参照して、シャッター９６が起立した状態から反時計方向に回動することで、ブロック９６ｂが仕切り板９７の前部を押し下げることができる。これにより、外形の大きいカードＳをハウジング９１の内部に更に進出すると、外形の大きいカードＳが仕切り板９７を乗り越えることができる。
【００１９】
図１１（Ｂ）又は図１２（Ａ）を参照して、外形の大きいカードＳをハウジング９１の内部に更に進出すると、外形の大きいカードＳが仕切り板９７を凹部９１ｃの底面に向かって移動できる（図１２（Ａ）参照）。図１２（Ａ）に示した状態では、外形の大きいカードＳは、仕切り板９７とカバー９２で挟持されている。
【００２０】
このように、コネクタ９は、一対のロック金具９５・９５、シャッター９６、及び、仕切り板９７が連動すること、外形の大きいカードＳを内部に保持できる。外形の大きいカードＳをコネクタ９から引き抜くと、これらの連動部品を初期の状態に復帰できる。
【００２１】
従来技術によるカード用コネクタは、外形の大きいカードと外形の小さいカードを選択的に装着できる、としている。又、従来技術によるカード用コネクタは、低背化できるとしている。
【００２２】
しかしながら、従来技術によるカード用コネクタは、外形の大きいカードを装着するために、一対のロック金具、シャッター、シャッターを回動するための捩じりコイルばね、及び、仕切り板などの多くの部品で構成している。このため、これらの部品を購入する及び組み立てるコストを増加させている。
【００２３】
外形の異なるカードを共用できるカード用コネクタであって、カード用コネクタを構成する部品点数を削減したカード用コネクタが求められている。カード用コネクタを構成する部品点数を削減することで、製造原価の低減に貢献できる。そして、以上のことが本発明の課題といってよい。
【００２４】
本発明は、このような課題に鑑みてなされたものであり、外形の異なるカードを共用できるカード用コネクタであって、カード用コネクタを構成する部品点数を削減したカード用コネクタを提供することを目的とする。
【課題を解決するための手段】
【００２５】
本発明者は、シャッターを介在することなく、一対のロック金具と仕切り板を直接連動させることで、カード用コネクタを構成する部品点数を削減できると考え、これに基づいて、以下のような新たなカード用コネクタを発明するに至った。
【００２６】
（１）本発明によるカード用コネクタは、一方の端部に複数の第１接続端子を配列した矩形の第１カードと、前記第１カードより大きい幅と前記第１カードより小さい厚さを有し、一方の端部に複数の第２接続端子を配列した矩形の第２カードを共用できるカード用コネクタであって、前記第１カードを幅方向に案内する第１案内路、及び、前記第２カードを幅方向に案内する第２案内路をカード挿入口に有し、前記カード挿入口を介して、前記第１カード又は前記第２カードを内部に導入できる凹部を有する板状のハウジングと、前記ハウジングの凹部を覆うカバー板と、第１接点を前記凹部の底面に向かって配置し、前記第１接続端子に接触できる複数の第１コンタクトと、第２接点を前記凹部の底面から突出し、前記第２接続端子に接触できる複数の第２コンタクトと、固定端部を前記凹部の内壁に固定し、前記凹部の中央部に向かって自由端部の一部を突出し、前記第２カードが前記第２案内路を通過している状態では、前記自由端部が前記凹部の内壁に向かって後退する一対のベローズ状のロック金具と、前記凹部を横断した状態で前記一対のロック金具に後続配置され、前記カバー板と前記凹部の底面の間を高さ方向に仕切る仕切り板と、前記凹部の内壁に配置され、前記仕切り板が前記カバー板に向かって移動する力を付勢する一つ以上の板ばね片と、を備え、前記ロック金具は、係止開口を前記自由端部に有し、前記仕切り板は、両端部から相反する向きに突出し、前記係止開口と係合自在な一対の係合部を有し、前記係合部と前記係止開口が係合した状態では、前記第１カードを前記カバー板と前記仕切り板の間に移動でき、前記第２カードを前記カード挿入口の第２案内路に挿入すると、前記自由端部が前記凹部の内壁に向かって後退することで、前記係合部と前記係止開口の係合状態が解除され、前記第２カードを前記仕切り板と前記凹部の底面の間に移動できる。
【００２７】
（２）前記仕切り板の係合部は、前記係止開口の縁部にスライド自在な傾斜面を端部に有し、前記第２カードを前記凹部から引き抜いた状態では、前記ロック金具の自由端部が復帰して、前記傾斜面にスライドすることで、前記仕切り板を前記凹部の底面に向かって移動させることが好ましい。
【００２８】
（３）前記カバー板と反対側から前記ハウジングを覆うシールド板を更に備えていることが好ましい。
【発明の効果】
【００２９】
本発明によるカード用コネクタは、係止開口を自由端部に有するロック金具、及び、係止開口と係合自在な係合部を端部に有する仕切り板をハウジングの内部に備え、シャッターを介在することなく、ロック金具と仕切り板が連動して、第１カードより大きい幅を有する第２カードをハウジングの内部に導入できるので、部品点数を削減できる。
【図面の簡単な説明】
【００３０】
【図１】本発明の一実施形態によるカード用コネクタの構成を示す斜視図であり、図１（Ａ）は、ハウジングをシールド板で覆った状態図、図１（Ｂ）は、ハウジングからシールド板を取り外した状態図である。
【図２】前記実施形態によるカード用コネクタの構成を示す斜視図であり、図２（Ａ）は、ハウジングの底面側をカバー板で覆った状態図、図２（Ｂ）は、ハウジングからカバー板を取り外した状態図である。
【図３】前記実施形態によるカード用コネクタの主要部品を抽出した図であり、図３（Ａ）は、主要部品の全体構成を示す斜視図、図３（Ｂ）は、主要部品の斜視分解組立図である。
【図４】図２（Ｂ）の平面図である。
【図５】前記実施形態によるカード用コネクタに備わる仕切り板の構成を示す斜視図であり、図５（Ａ）は、仕切り板を一方の方向から観た状態図、図５（Ｂ）は、仕切り板を他方の方向から観た状態図である。
【図６】前記実施形態によるカード用コネクタの要部を拡大した斜視図であり、図６（Ａ）は、ロック金具に設けた係止開口と仕切り板に設けた係合部が係合している状態図、図６（Ｂ）は、ロック金具に設けた係止開口と仕切り板に設けた係合部の係合が解除した状態図である。
【図７】幅の狭い第１カードが仕切り板に到達した状態を示す図であり、図７（Ａ）は、カード用コネクタを底部側から観た斜視図、図７（Ｂ）は、図７（Ａ）の縦断面図である。
【図８】幅の狭い第１カードがカード用コネクタに嵌合した状態を示す図であり、図８（Ａ）は、カード用コネクタを底部側から観た斜視図、図８（Ｂ）は、図８（Ａ）の縦断面図である。
【図９】幅の広い第２カードが仕切り板に到達した状態を示す図であり、図９（Ａ）は、カード用コネクタを底部側から観た斜視図、図９（Ｂ）は、図９（Ａ）の縦断面図である。
【図１０】幅の広い第２カードがカード用コネクタに嵌合した状態を示す図であり、図１０（Ａ）は、カード用コネクタを底部側から観た斜視図、図１０（Ｂ）は、図１０（Ａ）の縦断面図である。
【図１１】従来技術によるカード用コネクタの構成を示す斜視図であり、図１１（Ａ）は、カバーを取り付けた状態図、図１１（Ｂ）は、カバーを取り外した状態図である。
【図１２】従来技術によるカード用コネクタの構成を示す縦断面図であり、図１２（Ａ）は、外形の大きいカードを内部に装着した状態図、図１２（Ｂ）は、外形の小さいカードを内部に装着した状態図である。
【発明を実施するための形態】
【００３１】
以下、図面を参照して本発明を実施するための形態を説明する。
［カード用コネクタの構成］
最初に、本発明の一実施形態によるカード用コネクタの構成を説明する。
【００３２】
（全体構成）
図１から図１０を参照すると、本発明の一実施形態によるカード用コネクタ（以下、コネクタと略称する）１０は、矩形の第１カードＣｎと矩形の第２カードＣｂを共用できる。図７又は図８を参照すると、第１カードＣｎは、一方の端部の一方の面に複数の第１接続端子１ｃｔを配列している。図９（Ｂ）又は図１０（Ｂ）を参照すると、第２カードＣｂは、一方の端部の他方の面に複数の第２接続端子２ｃｔを配列している。
【００３３】
図７から図１０を参照すると、第２カードＣｂは、第１カードＣｎより大きい幅と第１カードＣｎより小さい厚さを有している。第１カードＣｎは、例えば、ＣＦｅｘｐｒｅｓｓ（登録商標）  ｔｙｐｅＡカードを適用できる。第２カードＣｂは、例えば、ＳＤカードを適用できる。なお、第１カードＣｎを「幅の狭い第１カードＣｎ」と呼び、第２カードＣｂを「幅の広い第２カードＣｂ」と呼ぶこともある。
【００３４】
図１から図１０を参照すると、コネクタ１０は、板状のハウジング１とカバー板２１を備えている。又、コネクタ１０は、複数の第１コンタクト３と複数の第２コンタクト４を備えている。
【００３５】
図２を参照すると、ハウジング１は、一方の面を開放した凹部１ｃを有している。カバー板２１は、ハウジング１に形成した凹部１ｃを覆っている。凹部１ｃには、幅の狭い第１カードＣｎと幅の広い第２カードＣｂのいずれか一方を導入できる。
【００３６】
図１を参照すると、ハウジング１は、対向間隔が狭い第１の対向壁Ｗ１・Ｗ１と対向間隔が広い第２の対向壁Ｗ２・Ｗ２をカード挿入口１ａに形成している。図７（Ａ）又は図８（Ａ）を参照して、幅の狭い第１カードＣｎは、凹部１ｃの底面から離隔した状態で凹部１ｃの底面に沿って移動する共に、第１の対向壁Ｗ１・Ｗ１に案内されて、ハウジング１の内部に進出できる。第１の対向壁Ｗ１・Ｗ１は、幅の狭い第１カードＣｎを幅方向に案内する第１案内路１Ｗｇを構成している（図１参照）。
【００３７】
図９（Ａ）又は図１０（Ａ）を参照して、幅の広い第２カードＣｂは、凹部１ｃの底面に近接した状態で凹部１ｃの底面に沿って移動する共に、第２の対向壁Ｗ２・Ｗ２に案内されて、ハウジング１の内部に進出できる。第２の対向壁Ｗ２・Ｗ２は、幅の広い第２カードＣｂを幅方向に案内する第２案内路２Ｗｇを構成している（図１参照）。
【００３８】
図２（Ｂ）又は図７（Ｂ）及び図８（Ｂ）を参照すると、第１コンタクト３は、第１接点３ｓを凹部１ｃの底面に向かって配置している。幅の狭い第１カードＣｎをハウジング１の内部に進出すると、第１コンタクト３は、第１接続端子１ｃｔに接触できる（図７又は図８参照）。
【００３９】
図２（Ｂ）又は図９（Ｂ）及び図１０（Ｂ）を参照すると、第２コンタクト４は、第２接点４ｓを凹部１ｃの底面から突出している。幅の広い第２カードＣｂをハウジング１の内部に進出すると、第２コンタクト４は、第２接続端子２ｃｔに接触できる（図９（Ｂ）又は図１０（Ｂ）参照）。
【００４０】
図２（Ｂ）又は図３から図６を参照すると、コネクタ１０は、一対のベローズ状のロック金具５ａ・５ｂと仕切り板６を更に備えている。図２（Ｂ）又は図４を参照すると、一対のロック金具５ａ・５ｂは、それらの固定端部５１が凹部１ｃの内壁に固定されている。又、一対のロック金具５ａ・５ｂは、カード挿入口１ａに向かうと共に、自由端部５２がハウジング１の奥側に向かって反転している（図４参照）。
【００４１】
図２（Ｂ）又は図４を参照すると、一対のロック金具５ａ・５ｂは、凹部１ｃの中央部に向かって自由端部５２の一部を突出している。自由端部５２の一部は、第２の対向壁Ｗ２・Ｗ２から突出している。後述するように、幅の広い第２カードＣｂが第２の対向壁Ｗ２・Ｗ２を通過している状態では、一対の自由端部５２・５２は、凹部１ｃの内壁に向かって後退する。
【００４２】
図２（Ｂ）又は図４を参照すると、仕切り板６は、凹部１ｃを横断した状態で、一対のロック金具５ａ・５ｂに後続配置されている。図７（Ｂ）又は図９（Ｂ）を参照すると、仕切り板６は、カバー板２１と凹部１ｃの底面の間を高さ方向に仕切っている。
【００４３】
図３又は図６を参照すると、コネクタ１０は、一対の板ばね片４１・４１を凹部１ｃの底面に配置している。一対の板ばね片４１・４１は、仕切り板６がカバー板２１に向かって移動する力を付勢している。
【００４４】
図３又は図６を参照すると、一対のロック金具５ａ・５ｂは、矩形の係止開口５２ｈを自由端部５２に有している。一方、図３又は図５及び図６を参照すると、仕切り板６は、一対の係合部６ａ・６ｂを一方の端部に有している。一対の係合部６ａ・６ｂは、仕切り板６の両端部から相反する向きに突出している。通常、一対の係合部６ａ・６ｂは、係止開口５２ｈに係合している（図６（Ａ）参照）。
【００４５】
図６（Ａ）に示すように、一対の係合部６ａ・６ｂと係止開口５２ｈが係合した状態では、カバー板２１と仕切り板６の間に、幅の狭い第１カードＣｎを挿入できる空間を形成している（図７（Ｂ）参照）。これにより、幅の狭い第１カードＣｎをカバー板２１と仕切り板６の間に移動できる。そして、幅の狭い第１カードＣｎの第１接続端子１ｃｔを第１コンタクト３に接触できる（図８（Ｂ）参照）。
【００４６】
一方、図９（Ａ）を参照して、幅の広い第２カードＣｂをカード挿入口１ａの第２案内路２Ｗｇに挿入すると、一対のロック金具５ａ・５ｂの自由端部が凹部１ｃの内壁に向かって後退する（図４参照）。これにより、一対の係合部６ａ・６ｂと係止開口５２ｈの係合状態が解除される（図６（Ｂ）参照）。
【００４７】
図６（Ｂ）に示すように、一対の係合部６ａ・６ｂと係止開口５２ｈの係合が解除された状態では、仕切り板６の前部は、一対の板ばね片４１・４１に付勢されて、カバー板２１に向かって移動する。つまり、仕切り板６が凹部１ｃの底面から離隔することで、仕切り板６と凹部１ｃの底面の間に、幅の広い第２カードＣｂを挿入できる空間を形成している（図９（Ｂ）参照）。これにより、幅の広い第２カードＣｂを仕切り板６と凹部１ｃの底面の間に移動できる。そして、幅の広い第２カードＣｂの第２接続端子２ｃｔを第２コンタクト４に接触できる（図１０（Ｂ）参照）。
【００４８】
図１から図１０を参照すると、実施形態によるコネクタ１０は、係止開口５２ｈを自由端部に有する一対のロック金具５２ａ・５２ｂ、及び、係止開口５２ｈと係合自在な係合部６ａ・６ｂを端部に有する仕切り板６をハウジング１の内部に備え、シャッターを介在することなく、一対のロック金具５２ａ・５２ｂと仕切り板６が連動して、第１カードＣｎより大きい幅を有する第２カードＣｂをハウジング１の内部に導入できるので、部品点数を削減できる。
【００４９】
図３又は図５及び図６（Ｂ）を参照すると、一対の係合部６ａ・６ｂは、傾斜面６ｓを端部に形成している。
【００５０】
図９（Ｂ）又は図１０（Ｂ）を参照して、幅の広い第２カードＣｂを仕切り板６と凹部１ｃの底面の間に挿入した状態から、幅の広い第２カードＣｂを凹部１ｃから引き抜くと、一対のロック金具５２ａ・５２ｂの自由端部を凹部１ｃの内壁に向かって復帰できる。
【００５１】
図６（Ｂ）に示した状態から、一対のロック金具５２ａ・５２ｂの自由端部が復帰することで、傾斜面６ｓが係止開口５２ｈの縁部にスライドし、一対の板ばね片４１・４１の付勢力に抗して、仕切り板６を凹部１ｃの底面に向かって復帰できる。これにより、図６（Ａ）に示すように、一対の係合部６ａ・６ｂと係止開口５２ｈが係合した状態に復帰する。
【００５２】
このように、実施形態によるコネクタ１０は、仕切り板６の係合部６ａ・６ｂが係止開口５２ｈの縁部にスライド自在な傾斜面６ｓを端部に形成することで、一対のロック金具５２ａ・５２ｂと仕切り板６が連動して、仕切り板６を初期の状態に復帰できる。
【００５３】
引き続き、実施形態によるコネクタ１０の構成を説明する。図１（Ａ）を参照すると、コネクタ１０は、シールド板２２を更に備えている。シールド板２２は、カバー板２１と反対側からハウジング１を覆っている。シールド板２２がハウジング１を覆うことで、コネクタ１０を電磁遮蔽できる。
【００５４】
図１（Ａ）を参照すると、シールド板２２の一部は、プリント基板１ｐの表面にはんだ接合している。つまり、実施形態によるコネクタ１０は、表面実装型のコネクタである。
【００５５】
図２（Ｂ）又は図４を参照すると、実施形態によるコネクタ１０は、ライトプロテクトスイッチ７１ｓとカード認識スイッチ７２ｓを含んでいる。ライトプロテクトスイッチ７１ｓがカードを検出することで、カードに書き込み動作ができないようにすることができる。カード認識スイッチ７２ｓがカードを検出することで、カードの存在を電気的に認識できる。
【００５６】
（イジェクト機構の構成）
又、図２（Ｂ）又は図４を参照すると、実施形態によるコネクタ１０は、プッシュ・プッシュ式のイジェクト機構Ｅを更に含んでいる。ハウジング１は、イジェクト機構Ｅを凹部１ｃの一方の端部に配置している。イジェクト機構Ｅは、第１カードＣｎ又は第２カードＣｂを凹部１ｃに挿入すると、第１カードＣｎ又は第２カードＣｂを停止するように動作でき、停止状態の第１カードＣｎ又は第２カードＣｂを押すと、第１カードＣｎ又は第２カードＣｂをコネクタ１０から排出できる。以下、イジェクト機構Ｅの構成及び動作は、第１カードＣｎを代表して説明する。
【００５７】
図２（Ｂ）又は図４を参照すると、イジェクト機構Ｅは、平板状のスライド部材Ｅ１、圧縮コイルばねＥ２、及び、案内棒Ｅ３を備えている。スライド部材Ｅ１は、第１カードＣｎの挿抜方向と平行する方向に進退自在に、ハウジング１と連結している。又、スライド部材Ｅ１は、ハート型のカム溝を表面に穿設している。
【００５８】
図４を参照すると、圧縮コイルばねＥ２は、凹部１ｃの一方の端部の内部に保持されている。又、圧縮コイルばねＥ２は、第１カードＣｎが排出される方向にスライド部材Ｅ１を付勢している。案内棒Ｅ３は、その一端部がハート型のカム溝に連結している。又、案内棒Ｅ３は、その他端部がハウジング１に回転自在に連結している。
【００５９】
図４を参照して、凹部１ｃに第１カードＣｎを挿入し、圧縮コイルばねＥ２の付勢力に抗して、スライド部材Ｅ１をハウジング１の奥側に移動すると、案内棒Ｅ３の一端部は、ハート型のカム溝の分岐点に移動する。そして、案内棒Ｅ３の一端部がハート型のカム溝の分岐点に到達すると、案内棒Ｅ３はスライド部材Ｅ１をロックでき、第１カードＣｎの停止位置を規定できる。
【００６０】
図４を参照して、案内棒Ｅ３の一端部がハート型のカム溝の分岐点に位置した状態から、第１カードＣｎを一旦押すと、案内棒Ｅ３の一端部は、ハート型のカム溝の分岐点から解放されて、ハート型のカム溝の帰り行程に相対的に移動する。そして、圧縮コイルばねＥ２がスライド部材Ｅ１をハウジング１のカード挿入口１ａ側に移動させることで、第１カードＣｎを排出できる。
【００６１】
（ハウジングの構成）
次に、実施形態によるハウジング１の構成を説明する。図１又図２及び図４を参照して、ハウジング１は、絶縁性を有する合成樹脂からなることが好ましい。絶縁性を有する合成樹脂を成形して、所望の形状のハウジング１を得ることができる。
【００６２】
図２（Ｂ）又は図４を参照すると、ハウジング１は、複数の第１コンタクト３を奥壁１１ｃに固定している。第１コンタクト３は、ハウジング１の奥壁１１ｃに圧入されることで、固定されている。
【００６３】
又、図２（Ｂ）又は図４を参照すると、ハウジング１は、少なくとも複数の第２コンタクト４を含むリードフレームＦ（図３参照）をインサート成形することで、凹部１ｃの底壁を形成している。
【００６４】
（第１コンタクトの構成）
次に、実施形態による第１コンタクト３の構成を説明する。図１（Ｂ）又は図２（Ｂ）及び図３を参照すると、第１コンタクト３は、導電性を有する金属板からなることが好ましい。図示しない導電性を有する展開板を打ち抜き加工及び折り曲げ加工して、片持ち状のベローズ形の第１コンタクト３を得ることができる。
【００６５】
図１（Ｂ）又は図２（Ｂ）及び図３を参照すると、第１コンタクト３は、その固定端部の終端部にリード部３ｒを形成している。これらのリード部３ｒは、プリント基板１ｐの表面にはんだ接合できる（図１（Ａ）参照）。つまり、コネクタ１０は、表面実装形のコネクタになっている。
【００６６】
（第２コンタクトの構成）
次に、実施形態による第２コンタクト４の構成を説明する。図３又は図４を参照すると、第２コンタクト４は、導電性を有する金属板からなることが好ましい。図３を参照すると、リードフレームＦは、複数の第２コンタクト４を含んでいる。導電性を有する展開板からなるリードフレームＦを打ち抜き加工及び折り曲げ加工して、片持ち状のベローズ形の第２コンタクト４を得ることができる。
【００６７】
図３を参照すると、第２コンタクト４は、その固定端部の終端部にリード部４ｒを形成している。これらのリード部４ｒは、プリント基板１ｐの表面にはんだ接合できる（図１（Ａ）参照）。つまり、コネクタ１０は、表面実装形のコネクタになっている。
【００６８】
なお、図３を参照すると、リードフレームＦは、一対のロック金具５ａ・５ｂと一対のベローズ状のロック金具５ａ・５ｂを更に含んでいる。一対のロック金具５ａ・５ｂをリードフレームＦと別体で構成し、一対のロック金具５ａ・５ｂを凹部１ｃの内壁に配置することもできる。
【００６９】
（仕切り板の構成）
実施形態による仕切り板６の構成を説明する。図３又は図５を参照すると、仕切り板６は、金属板を所望の形状に成形してもよく、合成樹脂板を所望の形状に成形してもよく、素材を限定しない。
【００７０】
図５を参照すると、仕切り板６は、対向配置した一対の案内片６１ｇ・６２ｇを備えている。一方の案内片６１ｇは、ロック金具５ａから連続している。他方の案内片６２ｇは、ロック金具５ｂから連続している。一対の案内片６１ｇ・６２ｇの間には、幅の狭い第１カードＣｎを導入できると共に、幅の狭い第１カードＣｎの両側面を案内できる。
【００７１】
図５を参照すると、仕切り板６は、一組の第１規制片６３ｃ・６４ｃと三つの第２規制片６５ｃ・６６ｃ・６７ｃを更に備えている。一組の第１規制片６３ｃ・６４ｃは、一対の案内片６１ｇ・６２ｇと同じ方向に起立している。一組の第１規制片６３ｃ・６４ｃは、凹部１ｃの内壁に近接配置されることで、仕切り板６の横振れを規制している。
【００７２】
図５を参照すると、三つの第２規制片６５ｃ・６６ｃ・６７ｃは、一組の第１規制片６３ｃ・６４ｃと反対方向に下降している。三つの第２規制片６５ｃ・６６ｃ・６７ｃは、凹部１ｃの内壁に近接配置されることで、仕切り板６の横振れを規制していると共に、仕切り板６の凹部１ｃの底面との間隔を規制している。
【００７３】
又、図５を参照すると、仕切り板６は、略矩形の逃げ穴６ｅを中央部に開口している。図３（Ｂ）又は図４を参照すると、逃げ穴６ｅは、第２コンタクト４が接触しない位置に開口している。
【００７４】
［カード用コネクタの作用］
次に、実施形態によるコネクタ１０の動作を説明しながら、コネクタ１０の作用及び効果を説明する。最初に、幅の狭い第１カードＣｎを用いた場合のコネクタ１０の動作を説明する。図７を参照すると、コネクタ１０には、第１接続端子１ｃｔを上向きにした状態（いわゆる、リバース状態）で、幅の狭い第１カードＣｎがカード挿入口１ａに挿入される（図１参照）。
【００７５】
図１又は図７を参照して、幅の狭い第１カードＣｎをカード挿入口１ａに挿入すると、第１案内路１Ｗｇに案内されて、幅の狭い第１カードＣｎをカバー板２１の内面に沿って移動できる。
【００７６】
図１又は図７を参照して、第１接続端子１ｃｔを下向きにした状態（いわゆる、ノーマル状態）で、幅の狭い第１カードＣｎをカード挿入口１ａに挿入すると、図７に示すように、幅の狭い第１カードＣｎは、両側面に段差を形成しているので、幅の狭い第１カードＣｎの端縁が仕切り板６の端縁に当接することで、幅の狭い第１カードＣｎの誤挿入を防止できる。
【００７７】
図７を参照して、幅の狭い第１カードＣｎをカード挿入口１ａに挿入し、幅の狭い第１カードＣｎが仕切り板６に到達する過程では、幅の狭い第１カードＣｎの両側面は、一対のロック金具５２ａ・５２ｂに接触しないので（図６（Ａ）参照）、幅の狭い第１カードＣｎを乗り越えて凹部１ｃの奥側へ進出できる。
【００７８】
次に、図８（Ａ）を参照すると、幅の狭い第１カードＣｎは、スライド部材Ｅ１に規制されて停止している。図８に示した状態では、第１コンタクト３は、第１接続端子１ｃｔに接触している。これにより、コネクタ１０と幅の狭い第１カードＣｎを電気的に接続できる。
【００７９】
図８に示した状態から、幅の狭い第１カードＣｎを一旦、押すことで、イジェクト機構Ｅの作用により（図４参照）、幅の狭い第１カードＣｎをコネクタ１０から排出できる。
【００８０】
次に、幅の広い第２カードＣｂを用いた場合のコネクタ１０の動作を説明する。図７を参照すると、コネクタ１０には、第２接続端子２ｃｔを下向きにした状態（いわゆる、ノーマル状態）で、幅の広い第２カードＣｂがカード挿入口１ａに挿入される（図１参照）。
【００８１】
図１又は図９を参照して、幅の広い第２カードＣｂをカード挿入口１ａに挿入すると、第２案内路２Ｗｇに案内されて、幅の広い第２カードＣｂを凹部１ｃの底面に沿って移動できる。
【００８２】
図１又は図９を参照して、第２接続端子２ｃｔを上向きにした状態（いわゆる、リバース状態）で、幅の広い第２カードＣｂをカード挿入口１ａに挿入すると、図９（Ａ）又は図１０（Ａ）に示すように、幅の広い第２カードＣｂは、中央部と両側部で厚さ方向に段差を形成しているので、幅の広い第２カードＣｂの中央部が第１の対向壁Ｗ１・Ｗ１に当接することで（図１参照）、幅の広い第２カードＣｂの誤挿入を防止できる。
【００８３】
図９を参照して、幅の広い第２カードＣｂをカード挿入口１ａに挿入し、幅の広い第２カードＣｂが仕切り板６に到達する過程では、幅の広い第２カードＣｂは、一対のロック金具５２ａ・５２ｂと仕切り板６を連係させて、仕切り板６をカバー板２１に向かって移動させるので（図６（Ｂ）参照）、幅の広い第２カードＣｂを仕切り板６と凹部１ｃの底面の間に進出できる。
【００８４】
次に、図１０（Ａ）を参照すると、幅の広い第２カードＣｂは、スライド部材Ｅ１に規制されて停止している。図１０に示した状態では、第２コンタクト４は、第２接続端子２ｃｔに接触している。これにより、コネクタ１０と幅の広い第２カードＣｂを電気的に接続できる。
【００８５】
図１０に示した状態から、幅の広い第２カードＣｂを一旦、押すことで、イジェクト機構Ｅの作用により（図４参照）、幅の広い第２カードＣｂをコネクタ１０から排出できる。
【００８６】
図１から図１０を参照すると、実施形態によるコネクタ１０は、係止開口５２ｈを自由端部に有する一対のロック金具５２ａ・５２ｂ、及び、係止開口５２ｈと係合自在な係合部６ａ・６ｂを端部に有する仕切り板６をハウジング１の内部に備え、シャッターを介在することなく、一対のロック金具５２ａ・５２ｂと仕切り板６が連動して、第１カードＣｎより大きい幅を有する第２カードＣｂをハウジング１の内部に導入できるので、部品点数を削減できる。そして、コネクタ１０の製造原価の低減に貢献できる。
【００８７】
又、実施形態によるコネクタ１０は、仕切り板６の係合部６ａ・６ｂが係止開口５２ｈの縁部にスライド自在な傾斜面６ｓを端部に形成することで、一対のロック金具５２ａ・５２ｂと仕切り板６が連動して、仕切り板６を初期の状態に復帰できる。
【００８８】
更に、施形態によるコネクタ１０は、カバー板２１と反対側からハウジング１を覆うシールド板２２を備え、シールド板２２がハウジング１を覆うことで、コネクタ１０を電磁遮蔽できる。
【００８９】
本発明によるカード用コネクタに用いた仕切り板は、金属板を所望の形状に成形してもよく、合成樹脂板を所望の形状に成形してもよく、素材を限定しない。
【００９０】
本発明によるカード用コネクタは、幅の狭い第１カードをリバース状態で挿入し、幅の広い第２カードをノーマル状態で挿入する実施形態を開示したが、幅の狭い第１カードをノーマル状態で挿入し、幅の広い第２カードをリバース状態で挿入するカード用コネクタを提供することもできる。
【符号の説明】
【００９１】
１  ハウジング
１ａ  カード挿入口
１ｃ  凹部
１ｃｔ  第１接続端子
１Ｗｇ  第１案内路
２ｃｔ  第２接続端子
２Ｗｇ  第２案内路
３  第１コンタクト
３ｓ  第１接点
４  第２コンタクト
４ｓ  第２接点
５ａ・５ｂ  一対のロック金具
６  仕切り板
６ａ・６ｂ  一対の係合部
１０  コネクタ（カード用コネクタ）
２１  カバー板
４１  板ばね片
５１  固定端部
５２  自由端部
５２ｈ  係止開口
Ｃｎ  第１カード
Ｃｂ  第２カード
【図１】
2020187867.tif 000003
【図２】
2020187867.tif 000004
【図３】
2020187867.tif 000005
【図４】
2020187867.tif 000006
【図５】
2020187867.tif 000007
【図６】
2020187867.tif 000008
【図７】
2020187867.tif 000009
【図８】
2020187867.tif 000010
【図９】
2020187867.tif 000011
【図１０】
2020187867.tif 000012
【図１１】
2020187867.tif 000013
【図１２】
2020187867.tif 000014